(57)【要約】【課題】テラヘルツ波を発生し、効率的に人体、土中、水中の微生物類などを活性化するために用いるビーズの製造方法および使用方法に関する。【解決手段】テラヘルツ波を発生する天然鉱物を含む鉱物などの鉱物類を粉砕、混合して、成型、焼成し、径１〜１０ｍｍで黒色の生体活性化用ビーズを製造する。原料として用いる鉱物類が平均として２．５％以上の鉄分を含有する物として焼成時の雰囲気の酸素分圧を０．５〜１０ｖｏｌ％に調整することである。また、炭素分を２．５％以上含有するものとして成型して焼成する。生体活性化用ビーズを網目の袋に入れて、人体の病気回復、健康増進のための該当部分の肌に押し当てて用いる。ビーズ、あるいはそれを破砕したものを土壌に撒布して、土壌中の微生物を活性化する。生体活性化用ビーズを、水に浸漬して活性水にする。水の供給管の１部に、生体活性化用ビーズを詰めたものを、取り外し可能な状態で取り付ける。【選択図】図１
2017192634.tif 000002
【特許請求の範囲】
【請求項１】
テラヘルツ波を発生する天然鉱物を含む鉱物などの鉱物類を粉砕、混合して、成型、焼成して製造した、径１〜１０ｍｍで黒色であることを特徴とする生体活性化用ビーズ。
【請求項２】
請求項１において、ビーズを黒色にするために、原料として用いる鉱物類が平均として２．５％以上の鉄分を含有する物として混合、粉砕して成型して、焼成時の雰囲気の酸素濃度を０．５〜１０ｖｏｌ％に調整することを特徴とする生体活性化用ビーズ。
【請求項３】
請求項１乃至請求項２において、原料として炭素分を含有する物を、炭素分として、２．５％以上含有するものとして成型して焼成することを特徴とする生体活性化用ビーズ。
【請求項４】
請求項１乃至請求項３において、テラヘルツ波を発生する鉱物として、原子番号が５７以上の元素が１種あるいはそれ以上含まれているもの、とくに好ましくはランタノイド系元素、アクチノイド系元素が含まれているものを用いることを特徴とする生体活性化用ビーズ。
【請求項５】
請求項１乃至請求項４において、テラヘルツ波を発生する鉱物として、天照石、モナザイト、甦生石のいずれか、あるいはその混合物を用いることを特徴とする生体活性化用ビ
ーズ。
【請求項６】
請求項１乃至請求項５の方法で得られた径１〜１０ｍｍで黒色である生体活性化用ビーズを網目の袋に入れて、人体の病気回復、健康増進のための該当部分の肌に押し当てて用いることを特徴とする生体活性化用ビーズの使用方法。
【請求項７】
請求項１乃至請求項５の方法で得られた径１〜１０ｍｍで黒色である生体活性化用ビーズ、あるいはそれを破砕したものを撒布して、土壌中の微生物類を活性化することを特徴とする生体活性化用ビーズの使用方法。
【請求項８】
請求項１乃至請求項５の方法で得られた径１〜１０ｍｍで黒色である生体活性化用ビーズを水に浸漬して水を活性水にすることを特徴とする生体活性化用ビーズの使用方法。
【請求項９】
請求項８において、水の供給管の１部に、請求項１乃至請求項５の方法で得られた径１
〜１０ｍｍで黒色である生体活性化用ビーズを詰めたものを、取り外し可能な状態で取り
付けることを特徴とする生体活性化用ビーズの使用方法。
【発明の詳細な説明】
【技術分野】
【０００１】
本発明は、テラヘルツ波を利用して効率的に各種の生体を活性化するために用いるものとその利用方法、具体的には人体に押し当てる方法、土壌などに撒布して土中の微生物類に作用させる方法および水の活性化を通して生体に作用させる方法に関する。
【背景技術】
【０００２】
テラヘルツ領域波（以下ではテラヘルツ波と呼ぶ）とは、周波数が０．１〜１０ＴＨｚ、波長で言えば３〜３００μｍの領域の電磁波で、電波と、光の一種である赤外線の中間の領域にあり、光と電波の性質を併せもっている。このテラヘルツ波がエネルギーを発生している例として、氷に作用してその溶解を促進することが知られている。特許文献１には、テラヘルツ波の検出方法が示されている。特許文献２は、それを利用した温風加熱卵の製造方法、特許文献３にはカーボンナノ構造体の成長方法、特許文献４には殺菌方法が示されている。また、病気治療に特別の効果のある温泉、各種の名水などが知られており、その詳細な機構は未解明であるが、そのいくつかは自然でのテラヘルツ波の効果であると推定されている。
【０００３】
テラヘルツ波の発生法としては、ジャオロトロン、後進波管、遠赤外線レーザー、量子カスケードレーザー、自由電子レーザー、シンクロトロン放射、フォトミキシングソースなどを利用するなどの方法が知られているが、これらは高価な装置を必要とするので用途が限られる。それに対して、特許文献５では、２５〜１００μｍの波長領域で放射率が７０％以上の電磁波放射体を備えていることを特徴とする水質改善材が示されている。
【先行技術文献】
【特許文献】
【０００４】
【特許文献１】特開２００６−１２５６７０号公報
【特許文献２】特開２０１０−９９０２０号公報
【特許文献３】特開２００８−８７０８７号公報
【特許文献４】特開２００５−３０５０６０号公報
【特許文献５】特開２０１０−３６０６８号公報
【発明の概要】
【発明が解決しようとする課題】
【０００５】
本発明は、テラヘルツ波を利用して各種の生体を活性化するものとその利用方法、具体的には、人体に押し当てて作用させる方法、土壌などに撒布して土中の微生物類に作用させる方法および水の活性化を通して生体に作用させる方法に関する。
【課題を解決するための手段】
【０００６】
本発明の課題を解決するための具体的手段の第１は、テラヘルツ波を発生する天然鉱物を含む鉱物などの鉱物類を粉砕、混合して成型、焼成し、径１〜１０ｍｍで黒色である生体活性化用ビーズを製造することである。
【０００７】
具体的手段の第２は、０００６において、ビーズを黒色にするために、原料として用いる鉱物類が平均として２．５％以上の鉄分を含有する物として混合、粉砕、成型して、焼成時の雰囲気の酸素濃度を０．５〜１０ｖｏｌ％に調整することである。
【０００８】
具体的手段の第３は、０００６乃至０００７において、原料として炭素分を含有する物を、炭素分として２．５％以上含有するものとして成型して焼成することである。
【０００９】
具体的手段の第４は、０００６乃至０００８において、テラヘルツ波を発生する鉱物として、原子番号が５７以上の元素が１種あるいはそれ以上含まれているもの、とくに好ましくはランタノイド系元素、アクチノイド系元素が含まれているものを用いることである。
【００１０】
具体的手段の第５は、０００６乃至０００９において、テラヘルツ波を発生する鉱物として、天照石、モナザイト、甦生石のいずれか、あるいはそれらの混合物を用いることである。
【００１１】
具体的手段の第６は、０００６乃至００１０の方法で得られた径１〜１０ｍｍで黒色である生体活性化用ビーズを網目の袋に入れて、人体の病気回復、健康増進のための該当部分の肌に押し当てて用いることである。
【００１２】
具体的手段の第７は、０００６乃至００１０の方法で得られた径１〜１０ｍｍの黒色である生体活性化用ビーズ、あるいはそれを破砕したものを土壌に撒布して、土壌中の微生物類を活性化することである。
【００１３】
具体的手段の第８は、０００６乃至００１０の方法で得られた径１〜１０ｍｍで黒色である生体活性化用ビーズを、水に浸漬して水を活性化することである。
【００１４】
具体的手段の第９は、００１３において、水の供給管の１部に、０００６乃至００１０の方法で得られた径１〜１０ｍｍで黒色である生体活性化用ビーズを詰めたものを、取り外し可能な状態で取り付けることである。
【発明の効果】
【００１５】
０００６乃至０００８の方法によって、ビーズから発生するテラヘルツ波を効率的に対象物に作用することができる。０００９，００１０の方法によって、ビーズのテラヘルツ発生を効率的に行うことができる。００１１の方法によって、人体の機能を活性することによって、ガンなどの悪性疾患の撲滅から健康維持まで、副作用なく各種の効果を得ることができる。００１２の方法によって、土壌中の微生物など活性化などを介して、化学肥料使用時のような副作用を生じることなく作物の収穫量を増やすことができる。００１３、００１４の方法によって、水の活性化を効率的に行うことができる。
【図面の簡単な説明】
【００１６】
【図１】本発明の人体用のビーズを用いる時の１形態であって、人体の各所の肌に効率的に押しあてるために、ネットに収納した状態を示す図である。
【図２】本発明における水を活性化するための方法の１つとして、水の供給管の１部に、取り外し可能な状態で生体活性化用ビーズを詰めたものを取り付ける方法の１例を示す図である。
【発明を実施するための形態】
【００１７】
人体の健康を保ち、また、たとえ癌などに冒された場合にもそれを克服するための基本的に方策の一つは人体の正常細胞を活性化することである。また、作物を栽培してその収獲量を高位に保つための基本的な方策の１つは、土壌中の各種微生物の働きを活性することである。また、人間など各種の生物にとって不可欠な水を効果の高いものとして提供するための基本的な方策の１つは、活性化した水とすることである。すなわち、いずれの場合にも、正常な生体を活性化して、その働きを強めることである。それに対して、これまでの対応策の多くは、人体の病気に対しては、病気のもとになっているものを撲滅するという考え方であって、場合によっては、それが人体にも副作用を生じる。また、作物の栽培促進のためには、作物に直接作用する化学肥料などを施与することでありが、それを繰り返すと、土壌に悪影響が残ることがある。また、水の浄化に関しても、同じく化学薬品などを加えることによって、これと同じ悪影響を残すことがある。本発明は、長期的視点からみれば正しくないと思われる従来の諸方策に対して、基本に戻って、各種生体自体の働きを活性することによって、人体の健康維持、病気の克服、作物栽培におけて高位の収獲量を確保、また人間を初めてとして各種生物に適した水を提供しようとするものである。
【００１８】
テラヘルツ波とは、波長域が３〜３００ミクロンであり、生体の波長域である１０ミクロン前後とほぼ重なっている。本発明はこの現象に着目して、各種生体、すなわち、人体、土壌中の微生物などにテラヘルツ波を作用させて、副作用なく、効率的に、００１７で述べたような効果を得るためのものである。本発明では、テラヘルツの発生法としては、ジャオロトロン、後進波管、遠赤外線レーザー、量子カスケードレーザー、自由電子レーザー、シンクロトロン放射、フォトミキシングソースなどに依存せず、天然鉱物を利用する。テラヘルツ領域波を発生する鉱物としては、原子番号が５７以上の元素が１種あるいはそれ以上含まれていることが望ましい。とくに好ましくは、ランタノイド系元素、アクチノイド系元素が含まれていることであるが、これらの元素を２種以混在させると各元素から発生する電磁波が相互作用することによって、効率的にテラヘルツ領域波を発生させることができるのでより一層好ましい。これらの条件を満足する天然鉱物として、たとえば天照石、モナザイトなどがある。
【００１９】
００１８で述べたようなテラヘルツ波の発生物を対象物に効率的に照射させるための第１の条件は、このテラヘルツ波発生物を含む鉱物を、成型、焼成してビーズ状にすることである。得られたビーズのサイズは、直径１〜１０ｍｍの範囲が適している。これは、対象物へのテラヘルツ波の照射効果を高めるために必要である。さらに、成型・焼成後に得られるビーズを黒色にすることが必要である。これは、ビーズ内でのテラヘルツ波を共振させることによって、外部への照射効果を大きくするためである。焼成後のビーズを黒色にするための第１の方法は、配合する鉱物に、原料として用いる平均として２．５％以上の鉄分を含有する物を加えて混合、粉砕、成型するとともに、焼成時の雰囲気の酸素分圧を０．５〜１０ｖｏｌ％に調整することである。これによって、鉄は三価鉄まで酸化せず、二価鉄にとどまり色は黒色になる。焼成後のビーズを黒色にするための第２の方法は、原料として炭素分を含有する物を、炭素分として２．５％以上含有するものとして成型して焼成することである。炭素分を配合することは、焼成時のビーズ内の酸素ポテンシャルを下げて、鉄分が三価鉄まで酸化するのを防ぐとともに、残留した炭素分が外部へのテラヘルツ波の照射効果を高める効果がある。
【００２０】
本発明の生体活性化用ビーズを用いる第１の方法は、図１に示すようにネット状のものに納めて人体の対象とする場所、すなわち病気回復、健康増進などの対象になる人体部位に対応する肌に押しあてて用いることである。人体組織の活性化効果は、とくに温度を体温より高く、かつ４３℃以下にすることによって高められる。特にがんを対象とする場合には、がん細胞は高温に弱いことから、正常生体の活性化を通しての対がん効果を大きくすることができる。このように温度を上げるための方法としては、湯の中、砂風呂の中、あるいはサウナの中などで用いるのが効果的である。もちろん、特に加熱を伴うことなく肌に押し当てることも効果がある。
【００２１】
次に、田畑などの土壌に撒布して、土壌中の微生物類を活性化して農産物の成長を促進する方法であるが、００１９で得られた径１〜１０ｍｍで黒色である生体活性化用ビーズ、あるいはそれを破砕したものを撒布する。この場合に、ゼオライト類などのシリコン、アルミなどの酸化物を含む鉱石を用いた場合には土壌中の有害物などを吸着して微生物が働きやすい場を作るのに役立つ。また鉄分は土壌の酸化度を調整して同じく微生物が働きやすい場を作るのに役立つ。これによって土壌中の微生物類の活動が活発化されて、その結果として、化学肥料などに依存しなくても農作物の成長を促進できる。
【００２２】
水が活性化された状態とは、水分子のクラスターが小さくなること、水中の酸素、水素原子の状態が変化することなどの諸説がある。飲料用、医療用、美容用、畑などの撒水用に効果がある活性水の特性として定量的になにを測定すればよいかについては諸説があるが、一般的に用いられているのは酸化還元電位を測定する方法である。水に、このテラヘルツビーズを浸漬することによって水を活性化できることは本発明者らによって確認されている。また、水浄化について、まず、水中に生存する植物性プランクトンの働きを活性化し、植物プランクトンが太陽光をエネルギーとして、水中の炭酸ガスイオンを消費して炭酸ガスの空中への放出を抑制するとともに、その生成物は動物性プランクトン、魚類などの？  ．として食物連鎖（正のサイクル）を活発にする。さらにこれらの各種生物の排出物、死骸に起因する有害物の分解（負のサイクル）を促進する。これによって、水の浄化のためには水中の各種生体の働きを活性化することが重要であって、本発明ではそのためにテラヘルツ波発生物を利用する。
【００２３】
各種の水を活性化するためには、対象とする水に００１９で得られたビーズを、たとえば図１に示すネット状のものに入れて、浸漬し、必要により撹拌することによって行うことができる。この処理をさらに効率的に行うための方法の１つは、図２に示すように、水の供給管の１部に、取り外し可能な状態で生体活性化用ビーズを詰めたものを取り付ける方法である。この方法によって水の利用先で必要時に蛇口を開けることによって、活性化された水を得ることができる。なお、図２の水とテラヘルツビーズの反応管（１４）の中央部は断面の状態を示している。約８ケ月に１回、ボルト、ナットを外して、水とテラヘルツビーズの反応管（１４）を取りはずして、内部のテラヘルツビーズの収納ネット（１
３）を取り出して、新しいものに置き換える。
【実施例１】
【００２４】
天照石重量１に対して、ゼオライト鉱石を３、鉄粉を１、竹炭粉を１の割合で混合、粉砕したものに澱粉質の粘結剤を加えて、２〜８ｍｍの粒状物を成型して６５０℃で焼成した黒色のビーズを作った。
【実施例２】
【００２５】
白血病を患い、１月に余命３カ月を入院先の病院の医師に宣告された９３歳の女性が、患者が坑がん剤や放射線療法をすべてやめ、自宅で、実施例１に示した黒色ビーズ（直径２〜５ｍｍ）１５００ｇとサンゴセラミックボール１５０ｇをブラジャー洗濯ネットに入れ肌に押し付け、４２℃の風呂で２〜３分入ることを１日１回行うことによって、３月になると起きあがれるようになり、７月には畑に草刈りに行くようになった。
【実施例３】
【００２６】
胃ガンを患い末期症状であることを医師に宣告された６２歳の男性に対して、実施例１で示した黒色ビーズ（直径２〜５ｍｍ）１５００ｇブラジャー洗濯ネットに入れたものを浴衣の上から腹部に押し当てた状態で、４６℃に加熱された砂風呂に首から上以外を埋めて、７分間保持することを、１日、１回の割合で行った。徐々に元気を回復し、２５日後には通常の生活ができるようになった。
【実施例４】
【００２７】
実施例１で示した黒色ビーズを破砕したものを、１ｈｒに２０ｋｇ撒布して、麦の栽培を行った。収穫量は、比較地より２５％多かった。
【実施例５】
【００２８】
実施例１の条件で作られたビーズを河川に、図１に示したネットに入った状態で、浸漬して、次の結果を得た。
（各特性値は、浄化材を用いない場合を１．０としている）
・試験条件：  ビーズの添加量；  水面積１００ｍ２あたり  ３ｋｇ
試験結果
ＢＯＤ：０．４，  ＳＳ  ：０．４、  Ｔ−Ｎ：０．３、Ｔ−Ｐ：０．５
【実施例６】
【００２９】
家庭の水道管の１部に図２のような水とオーステナイト系ステンレス鋼製のテラヘルツビーズ反応管を取り付けて、実施例１に示したテラヘルツビーズを、５５ｇずつ入れたネットを、３つ収めた。８ケ月間、この状態で継続して用いた。水の性質は、通常の場合と比べると、次の通りであった。
得られた水の酸化還元電位
処理水  １１０〜１５０ｍＶ（比較；  非処理水；２２０〜２９０ｍＶ）
【産業上の利用可能性】
【００３０】
本発明は、人体の病気回復、健康増進、土壌中の微生物類を活性化する農作物などの栽培促進、および水の活性化などに、生体（人間、動物、植物、微生物類など）の機能促進を通して各種の効果を発揮させることができる。
【符号の説明】
【００３１】
１．ネット内部の生体活性化用ビーズ
２．ネット表面
３．ネットの口
４．ネットの口を結ぶ紐
１１．水の供給管
１２．フランジ
１３．収納ネットに収めたテラヘルツビーズ
１４．水とテラヘルツビーズの反応管
１５．ナット
１６．ボルト
【図１】
2017192634.tif 000003
【図２】
2017192634.tif 000004